(57)【要約】 【課題】  装着性に優れるとともに、シンプルな構造体で着用者の肌に対する便の接触を効果的に抑制し、パッド類の交換を容易に行うことができる介護用便尿取りパッドおよび介護用便取りパッドを提供する。【解決手段】  液透過性のトップシートと、液不透過性のバックシートと、これら両シートの間に配置された吸収体とを有する積層体であって、吸収体の左右端より外側でトップシートとバックシートを接合してサイドフラップを形成し、吸収体の長手方向の両端部で、トップシートとバックシートを接合してエンドフラップ領域を形成し、少なくとも一方のエンドフラップに左右方向に突出する延長フラップ部を形成し、該延長フラップの左右端が重なるように吸収体の左右端部の少なくとも一部も含めて長手方向に亘る折り線に沿って観音折りにして、少なくとも重なり部の一方を固定した構造体であることを特徴とする介護用パッド。【選択図】  図１
2006255385.tif 000002
【特許請求の範囲】
【請求項１】
液透過性のトップシートと、液不透過性のバックシートと、これら両シートの間に配置された吸収体とを有する積層体であって、吸収体の左右端より外側でトップシートとバックシートを接合してサイドフラップを形成し、吸収体の長手方向の両端部で、トップシートとバックシートを接合してエンドフラップ領域を形成し、少なくとも一方のエンドフラップに左右方向に突出する延長フラップ部を形成し、該延長フラップ部の左右端が重なるように吸収体の左右端部の少なくとも一部も含めて長手方向に亘る折り線に沿って観音折りにして、延長フラップの重なり部分の少なくとも一方を固定した構造体であることを特徴とする介護用パッド。
【請求項２】
積層体が、トップシート／吸収体／バックシート／カバーシートを積層したものである請求項１記載の介護用パッド。
【請求項３】
吸収体が、フラッフパルプと高吸収性ポリマーから構成されている請求項１または請求項２に記載の介護用パッド。
【請求項４】
吸収体が、合成繊維から構成されている請求項１または請求項２に記載の介護用パッド。
【請求項５】
吸収体が、不織布の積層体から構成されている請求項１または請求項２に記載の介護用パッド。
【請求項６】
吸収体が、ティッシュの積層体から構成されている請求項１または請求項２に記載の介護用パッド。
【請求項７】
トップシートが、不織布から構成されている請求項１〜６のいずれか１項に記載の介護用パッド。
【請求項８】
バックシートが、合成樹脂フィルムから構成されている請求項１〜７のいずれか１項に記載の介護用パッド。
【請求項９】
延長フラップの重なり部分の固定が、接着剤により固定されている請求項１〜８のいずれか１項に記載の介護用パッド。
【請求項１０】
接着剤が、ホットメルト接着剤である請求項９に記載の介護用パッド。
【請求項１１】
延長フラップの重なり部分の固定が、メカニカルファスナにより固定されている請求項１〜８のいずれか１項に記載の介護用パッド。
【請求項１２】
構造体をおむつの内部に装着するものである請求項１〜１１のいずれか１項に記載の介護用パッドの使用方法。
【請求項１３】
構造体をパンツの内部に装着するものである請求項１〜１１のいずれか１項に記載の介護用パッドの使用方法。
【発明の詳細な説明】
【技術分野】
【０００１】
本発明は、老人や病人の介護用等としておむつの内側に設置されて使用される介護用パッドに係り、装着性に優れ、着用者の肌に便の付着を抑制し、しかも尿の横漏れを防止した介護用便尿取りパッド、介護用便取りパッドおよびその使用方法に関するものである。
【背景技術】
【０００２】
尿取りパッド類は、液透過性のトップシートと、液不透過性のバックシートと、これら両シートの間に配置された吸収体とから基本的に構成されており、着用時に排泄された尿等の排泄物を液透過性のトップシートを介して吸収体に保持し、液不透過性のバックシートにより、排泄物が吸収性物品の外に漏れ出すのを防ぐ構造になっている。そしてその用途に応じて好適に使用できるように展開型、パンツ型等、様々な形態のものが提案されており、乳幼児をはじめとして成人失禁者まで広く使用されている。
【０００３】
しかしながら、このような尿取りパッド類では、大量に排尿された場合でも対応できるように設計されているが、排便に関してはほとんど考慮されていない。したがって、排便があると、尿取りパッド類は表面が平らであるため、体圧等により、便は臀部に広範囲に広がってしまう。また、尿取りパッド類は、便の水分を急速に吸収するため、便は固くなりトップシートに付着して膜を形成し、その後排尿すると、トップシートから尿が横漏れしてしまい、衣類を汚してしまう場合もあるため、おむつの取り替えは、介護者や母親にとって大きな負担となっていた。
【０００４】
そのため、従来から、着用者の肌への便の付着を防止する方法が検討されており、吸収体を上下２層の吸収体で形成し、股下領域において厚み方向へ貫通する開口部を形成し、便保持用の凹部を形成した使い捨ておむつ（特許文献１、特許文献２）、吸収体の両サイドをＳ字状に２回折り返し、吸収体の中央部に便を収容するための袋を形成した使い捨ておむつ（特許文献３、特許文献４）、等が開示されている。
【特許文献１】特開平８−１９１８５７号公報
【特許文献２】実開平６−５６１４号公報
【特許文献３】特開平５−４９６５８号公報
【特許文献４】特開２００２−２５３６０９号公報
【発明の開示】
【発明が解決しようとする課題】
【０００５】
しかしながら、股下領域において吸収体の厚み方向に便保持用の凹部を形成した使い捨ておむつの場合、便の排泄量が少量の場合には収容することができるが、一度に多量の便が排泄された場合には凹部に収容しきれなくなり、溢れ出した便が着用者の肌を汚してしまうという問題点を有している。また、吸収体を折返して中央部に便を収容する袋を形成した使い捨ておむつの場合、多量の便を収容することが可能であるが、広幅の吸収体を折返して袋を形成しているために股下領域の吸収体の厚さが厚くなり、おむつを装着した場合に、着用者の動きに合わせて股下領域が追従できないため、股下領域でのフィット性が劣り、装着感が悪くなり、漏れを生じるという問題点を有している。
【０００６】
本発明は、上記従来の使い捨ておむつ等に使用される尿取りパッド類の有する問題点を克服し、シンプルな構成体で着用者の肌に対する便の接触を極力防止し、パッド類の交換が容易に行うことができる介護用便尿取りパッドおよび介護用便取りパッドを提供するものである。
【課題を解決するための手段】
【０００７】
上記従来の尿取りパッド類の有する問題点を解決するため、本発明は以下の各発明を包含する。
【０００８】
液透過性のトップシートと、液不透過性のバックシートと、これら両シートの間に配置された吸収体とを有する積層体であって、吸収体の左右端より外側でトップシートとバックシートを接合してサイドフラップを形成し、吸収体の長手方向の両端部で、トップシートとバックシートを接合してエンドフラップ領域を形成し、少なくとも一方のエンドフラップに左右方向に突出する延長フラップ部を形成し、該延長フラップ部の左右端が重なるように吸収体の左右端部の少なくとも一部も含めて長手方向に亘る折り線に沿って観音折りにして、延長フラップの重なり部分の少なくとも一方を固定した構造体であることを特徴とする介護用パッド。
【０００９】
積層体が、トップシート／吸収体／バックシート／カバーシートを積層したものである（１）項に記載の介護用パッド。
【００１０】
吸収体が、フラッフパルプと高吸収性ポリマーから構成されている（１）項または（２）項に記載の介護用パッド。
【００１１】
（４）吸収体が、合成繊維から構成されている（１）項または（２）項に記載の介護用パッド。
【００１２】
吸収体が、不織布の積層体から構成されている（１）項または（２）項に記載の介護用パッド。
【００１３】
吸収体が、ティッシュの積層体から構成されている（１）項または（２）項に記載の介護用パッド。
【００１４】
トップシートが、不織布から構成されている（１）〜（６）項のいずれか１項に記載の介護用パッド。
【００１５】
バックシートが、合成樹脂フィルムから構成されている（１）〜（７）項のいずれか１項に記載の介護用パッド。
【００１６】
延長フラップの重なり部分の固定が、接着剤により接着されている（１）〜（８）項のいずれか１項に記載の介護用パッド。
【００１７】
（１０）接着剤が、ホットメルト接着剤である（９）項に記載の介護用パッド。
【００１８】
（１１）延長フラップの重なり部分の固定が、メカニカルファスナにより固定されている（１）〜（８）項のいずれか１項に記載の介護用パッド。
【００１９】
（１２）構造体をおむつの内部に装着するものである（１）〜（１１）項のいずれか１項に記載の介護用パッドの使用方法。
【００２０】
（１３）構造体をパンツの内部に装着するものである（１）〜（１１）項のいずれか１項に記載の介護用パッドの使用方法。
【００２１】
本発明の介護用パッドは、液透過性のトップシートと、液不透過性のバックシートと、これら両シートの間に配置された吸収体とを有する積層体から構成され、該延長フラップ部の左右端部が重なるように吸収体の左右端部の少なくとも一部も含めて長手方向に亘る折り線に沿って観音折りにして、重なり部分の少なくとも一方を固定したものである。
【発明を実施するための最良の形態】
【００２２】
以下、図面を参照して、本発明の介護用パッドを詳細に説明するが、勿論、本発明はこれらによって何等制限されるものではない。
【００２３】
図１は、本発明の観音折りする前の介護用便尿取りパッドをトップシート側から見た場合の平面図であり、図２は、図１に示す介護用便尿取りパッドを観音折りにして固定した状態を示す、トップシート側から見た場合の平面図である。図３は、図１に示す本発明の介護用便尿取りパッドをＸ−Ｘ線に沿って切断した状態を示す断面図であり、図４は、図１に示す本発明の介護用便尿取りパッドをＹ−Ｙ線に沿って切断した状態を示す断面図である。
図１、図２、図３および図４において、介護用便尿取りパッド１は、液透過性のトップシート３と、液不透過性のバックシート２と、トップシートとバックシートの間に配置された吸収体４とから基本的に構成されている。ここで、吸収体の左右端より外側でトップシートとバックシートを接合してサイドフラップ１４を形成し、吸収体の長手方向の両端部で、トップシートとバックシートを接合してエンドフラップ１５を形成し、少なくとも一方のエンドフラップに左右方向に突出する延長フラップ１６を形成している。さらに、折り線５において、上記左右の延長フラップが上下に重なるように吸収体の左右端部の少なくとも一部も含めて長手方向に亘る折り線５に沿って内側へ折り返され（観音折りと称する）、この状態で左右の延長フラップが重なり合う部分６が接着部７において接着されている。このように吸収体の左右端部の全体または一部を折り返して、吸収体により便を収容するのに適切な空間を設けている。さらに、その空間に便が侵入し易くするため、吸収体の形状を考慮しつつ、サイドフラップ領域に適宜切込みを入れて、開口部９を設けておく必要がある。
【００２４】
図５は、本発明の観音折りする前の介護用便取りパッド８をトップシート側から見た場合の平面図であり、図６は、図５に示す介護用便取りパッドを観音折りにして固定した状態を示す、トップシート側から見た場合の平面図である。図５および図６において、介護用便取りパッドは、基本的構成は介護用便尿取りパッドと同様である。また、折り線５において、この構造体を内側へ折り返され、この状態で延長フラップ部が重なり合う二つの部分で接着部７において接着されている。また、図７は、吸収体が砂時計型の場合の介護用便取りパッドの１例を示す平面図である。
【００２５】
このような構成を有する本発明の介護用パッドは、便が排便された場合、便は開口部からパッド内部に入り、その中で広がったり、水分が吸収されるが、着用者の皮膚との接触は開口部９に限定されるため、汚れる部分が少なくなり、着用者、介護人ともにパッド交換の際の負担を軽減することができる。
【００２６】
本発明において、介護用パッドが使い捨て用途として使用される場合は、接着剤、特に
ホットメルト接着剤を用いることが好ましく、繰り返し使用の場合は、テープ状のメカニ
カルファスナを用いることが好ましい。
【００２７】
本発明の介護用パッドは、おむつの内部あるいはパンツの内部に装着して使用されるのが好ましいが、装着性を向上させるため、背面にずれ防止テープを付設しても良い。
また、本発明において、装着性および開口性を向上させるため、トップシートとカバーシートの間にギャザーを設けることは好ましい実施態様の一つである。
【００２８】
以下、本発明において使用される材料について説明するが、本発明は、これらによって何ら制限されるものではない。
【００２９】
本発明において使用されるトップシートとしては、液透過性不織布、布が用いられ、不織布を形成する繊維としては、綿等の天然繊維、レーヨン等の再生繊維またはポリプロピレン、ポリエチレン、ポリエチレンテレフタレート、ナイロン等の合成繊維やあるいはそれら２種類以上を組合わせた複合繊維が使用可能であり、特にはポリエチレンテレフタレート／ポリエチレンテレフタレート、ポリプロピレン／ポリエチレンの複合繊維が強度の面から好ましいが、特に限定されない。不織布の製造方法としては、サーマルボンド法、スパンボンド法、メルトブロー法、スパンレース法、エアレイド法等公知の製法が使用できる。また、布としては、木綿、ポリエチレンテレフタレート、ポリウレタン、レーヨン等の織布、編布が使用できる。
【００３０】
トップシートは単一のシートで構成される必要はなく、吸収体上面とサイドフラップでシートを替える等複数枚のシートで構成してもよい。また、複数枚のシートでトップシートを構成する際、各シートは別々の素材を使っても良いが、同一の素材でもよい。
【００３１】
本発明において使用されるバックシートとしては、液不透過性の合成樹脂フィルムが挙げられるが、特にポリエチレン、ポリプロピレン、ナイロン、ポリエチレンテレフタレート等の単体あるいは複合フィルムが好ましい。さらに好ましくは、ムレを防止するために液体は透過させないが、水蒸気は透過させる程度の多数の微孔を設けた通気性ポリエチレンフィルムや、熱可塑性樹脂にフィラーを加えて延伸した透湿性のある液不透化性シートである。このような液不透過性シートを用いると、おむつ内の余分な水分がおむつ外へ放出されるため、むれやかぶれが起こり難くなり、透湿性の点でより優れている。また、バックシートとして、シリコーン樹脂あるいはワックス等の撥水剤で撥水処理をしたスパンボンド、スパンボンド・メルトブロー複合体等、特別に液不透過性とした不織布も使用できる。さらに、このようなバックシートの外側にカバーシートとしてトップシートに使用される不織布と同様の不織布を貼り合わせることが好ましい。カバーシートを貼り合わせると、肌触り等の点でより快適なものとすることができる。
【００３２】
本発明において使用される吸収体としては、通常の使い捨ておむつのような吸収性物品に使用されるものであればいずれも使用することができる。すなわち、フラッフパルプと高吸収性ポリマー（以下ＳＡＰと略記する）を併用したもの、さらに熱融着繊維を加えたもの等を使用することができ、全体を親水性シートで包まれているものが好ましい。その他、親水性シートの片面にＳＡＰの層を設けたもの、２枚の親水性シートの間にＳＡＰを扶持したもの等のシート状の吸収体も使用することができる。また、吸収体の形状は、砂時計型、矩形、Ｔ字型等着用者の体型に合わせて適宜使用される。
親水性シートとしては、ポリエチレン、ポリプロピレン、ポリエチレンテレフタレート、その他の熱可塑性樹脂を原料とした合成繊維から成る不織布を親水化処理したものが有利に用いられ、その他にも親水性の布吊、ティッシュ等を使用することも可能である。
【００３３】
また、ＳＡＰとしては、デンプン系、セルロース系、合成ポリマー系のものを採用することができる。具体的には、デンプン−アクリル酸（塩）グラフト共重合体、デンプン−アクリル酸エチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキサイド、ナトリウムカルボキシメチルセルロースの架橋物、ポリビニルアルコール−無水マレイン酸反応物の架橋物等であるが、ポリアクリル酸ナトリウム系のものが、その自重の２０倍以上の尿や体液、及び水を吸収することから適当である。
【００３４】
本発明において、延長フラップ部の左右端が重なるように吸収体の左右端部の少なくとも一部も含めて長手方向に亘る折り線に沿って観音折りした後、その重なり部分を固定する方法は特に限定されないが、接着剤を使用する方法、メカニカルタイプのファスナを使用する方法等が挙げられる。本発明において使用される接着剤としても、特に限定されず、ドライラミネート接着剤、押し出しラミネート接着剤、ウェットラミネート接着剤、ホットメルト接着剤が挙げられる。ドライラミネート接着剤にはウレタン系、ＥＶＡ系、アクリル系、酢酸ビニル系等、ウェットラミネート接着剤にはデンプン、カゼイン、ポリ酢酸ビニル、ポリアクリル酸エステル等が使用でき、また、押し出しラミネート接着剤にはポリエチレン、ポリプロピレン、変性ポリオレフィン等の樹脂を適宜使用することができる。
【００３５】
なかでも、接着性と加工適性の点で、ホットメルト接着剤が好ましい。ホットメルト接着剤としては、いわゆるＳＢＳ系ホットメルトと呼ばれるスチレン−ブタジエン−スチレン系共重合体や、ＳＩＳ系ホットメルトと呼ばれるスチレン−イソプレン−スチレン系共重合体といった合成ゴム系、あるいはプロピレン−ブテン共重合体のようなオレフィン系共重合体を用いることができる。
【００３６】
さらに、メカニカルタイプのファスナについても、特に限定されないが、テープ状のメカニカルフアスナが好ましい。
【００３７】
本発明の介護用パッドの大きさは、観音折りする前の幅２００〜４００ｍｍ、長さ１５０〜５００ｍｍ、観音折り後の幅１００〜２５０ｍｍが好ましい。
【００３８】
以下に、本発明の実施例を挙げて説明するが、本発明はこれらの例に限定されるものではない。実施例において示す「部」及び「％」は特に明示のない限り質量部及び質量％である。
【実施例】
【００３９】
（実施例１）
フラッフパルプ３０ｇ、ＳＡＰ５ｇを用い、両者を均一に混合して全体を不織布で包み、砂時計型の幅２００ｍｍ、長さ３４０ｍｍ、くびれ部９０ｍｍの吸収体を作製した。坪量２０ｇ／ｍ２のサーマルボンド法による親水性のポリエチレン・ポリプロピレン製不織布をトップシート（幅３２０ｍｍ、長さ４００ｍｍ）、坪量１８ｇ／ｍ２のサーマルボンド法による親水性のポリエチレン・ポリプロピレン製不織布をカバーシート（幅３２０ｍｍ、長さ４００ｍｍ）、厚さ２０μｍのポリエチレンフィルムをバックシート（幅３２０ｍｍ、長さ４００ｍm）として、トップシート／吸収体／バックシート／カバーシートを順次積層して、本発明の積層体を作製した。上記積層体のサイドフラップ部を切込み、開口部を設け、延長フラップの左右端が重なるように吸収体の左右端部も含めて長手方向に亘る折り線に沿って観音折りにして、延長フラップの重なった部分の一箇所をホットメルト接着剤にて固定して、幅１５０ｍｍ、長さ４００ｍｍ、開口幅４０ｍｍ、開口長さ２５０ｍｍの本発明の介護用便尿取りパッドを作製した。
【００４０】
（実施例２）
フラッフパルプ３０ｇ、ＳＡＰ４ｇを用い、両者を均一に混合して全体を不織布で包み、矩形の幅２００ｍｍ、長さ３４０ｍｍの吸収体を作製した。坪量２０ｇ／ｍ２のスパンボンド法による親水性のポリプロピレン製不織布をトップシート（幅２６０ｍｍ、長さ４００ｍｍ）、坪量１８ｇ／ｍ２のサーマルボンド法による親水性のポリエチレン・ポリプロピレン製不織布をカバーシート（幅２６０ｍｍ、長さ４００ｍｍ）、厚さ３０μｍの透湿性ポリエチレンフィルムをバックシート（幅１２０ｍｍ、長さ４００ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の一箇所をホットメルト接着剤にて固定して、幅１００ｍｍ、長さ４００ｍｍ、開口幅４０ｍｍの本発明の介護用便尿取りパッドを作製した。
【００４１】
（実施例３）
フラッフパルプ２０ｇ、ＳＡＰ３ｇを用い、両者を均一に混合して全体を不織布で包み、矩形の幅２００ｍｍ、長さ３００ｍｍの吸収体を作製した。坪量４０ｇ／ｍ２のエアレイド法によるパルプ製不織布をトップシート（幅２４０ｍｍ、長さ４００ｍｍ）、坪量１８ｇ／ｍ２のサーマルボンド法による親水性のポリプロピレン製不織布をカバーシート（幅２４０ｍｍ、長さ４００ｍｍ）、厚さ２０μｍのポリエチレンフィルムをバックシート（幅１２０ｍｍ、長さ４００ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の一箇所をホットメルト接着剤にて固定して、幅１００ｍｍ、長さ４００ｍｍ、開口幅５０ｍｍの本発明の介護用便尿取りパッドを作製した。
【００４２】
（実施例４）
ポリエチレンテレフタレート繊維２０ｇを不織布で包み、矩形の幅２００ｍｍ、長さ３４０ｍｍの吸収体を作製した。坪量２０ｇ／ｍ２のサーマルボンド法による親水性のポリエチレン・ポリプロピレン製不織布をトップシート（幅３３０ｍｍ、長さ４２０ｍｍ）、坪量１８ｇ／ｍ２のサーマルボンド法による親水性のポリプロピレン製不織布をカバーシート（幅３３０ｍｍ、長さ４２０ｍｍ）、厚さ２０μｍのポリエチレンフィルムをバックシート（幅１２０ｍｍ、長さ４００ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の一箇所をメカニカルファスナにて固定して、幅１００ｍｍ、長さ４００ｍｍ、開口幅４５ｍｍの本発明の介護用便尿取りパッドを作製した。
【００４３】
（実施例５）
フラッフパルプ２０ｇ、ＳＡＰ３ｇを用い、両者を均一に混合して全体を不織布で包み、矩形の幅２００ｍｍ、長さ３４０ｍｍの吸収体を作製した。坪量４０ｇ／ｍ２のエアレイド法によるパルプ製不織布をトップシート（幅２８０ｍｍ、長さ４００ｍｍ）、坪量１８ｇ／ｍ２のサーマルボンド法による親水性のポリプロピレン製不織布（幅２２０ｍｍ、長さ４００ｍｍ）１枚と坪量１５ｇ／ｍ２のスパンボンド・メルトブロー４層体の撥水性のポリプロピレン製不織布（幅５０ｍｍ、長さ４００ｍｍ）２枚を親水性のポリプロピレン製不織布が中層となるように貼合したものをカバーシート、厚さ２０μｍのポリエチレンフィルムをバックシート（幅１２０ｍｍ、長さ４００ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の一箇所をホットメルト接着剤にて固定して、幅１００ｍｍ、長さ４００ｍｍ、開口幅５０ｍｍ、開口長さ３００ｍｍの本発明の介護用便尿取りパッドを作製した。
【００４４】
（実施例６）
ポリエチレンテレフタレート製繊維２０ｇを不織布で包み、矩形の幅２００ｍｍ、長さ３４０ｍｍの吸収体を作製した。坪量２０ｇ／ｍ２のサーマルボンド法による親水性のポリエチレン・ポリプロピレン製不織布をトップシート（幅３３０ｍｍ、長さ４２０ｍｍ）（背面にはおむつとのずれ防止のため、ずれ防止テープを装着する）、坪量１８ｇ／ｍ２のサーマルボンド法による親水性のポリプロピレン製不織布をカバーシート（幅３３０ｍｍ、長さ４２０ｍｍ）、厚さ２０μｍのポリエチレンフィルムをバックシート（幅１５０ｍｍ、長さ４２０ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の一箇所をメカニカルファスナにて固定して、幅１２０ｍｍ、長さ４２０ｍｍ、開口幅４５ｍｍの本発明の介護用便尿取りパッドを作製した。
【００４５】
（実施例７）
フラッフパルプ２０ｇ、ＳＡＰ３ｇを用い、両者を均一に混合して全体を不織布で包み、砂時計型の幅２００ｍｍ、長さ３４０ｍｍ、くびれ部９０ｍｍの吸収体を作製した。坪量４０ｇ／ｍ２のエアレイド法によるパルプ製不織布をトップシート（幅２８０ｍｍ、長さ４００ｍｍ）、坪量１８ｇ／ｍ２のサーマルボンド法による親水性のポリプロピレン製不織布をカバーシート（幅２８０ｍｍ、長さ４００ｍｍ）、厚さ２０μｍのポリエチレンフィルムをバックシート（幅１２０ｍｍ、長さ４００ｍｍ）として、トップシート／吸収体／バックシート／カバーシートを順次積層して、本発明の積層体を作製した。（但し、トップシートとカバーシートの間に吸収体と製品開口部にかからない部分にギャザーを装着する）上記積層体のサイドフラップ部を切込み、開口部を設け、延長フラップの左右両端が重なるように吸収体の左右端部も含めて長手方向に亘る折り線に沿って観音折りにして、延長フラップの重なった部分の一箇所をホットメルト接着剤にて固定して、幅１００ｍｍ、長さ４００ｍｍ、開口幅６０ｍｍ、開口長さ２５０ｍｍの本発明の介護用便尿取りパッドを作製した。
【００４６】
（実施例８）
フラッフパルプ３０ｇ、ＳＡＰ５ｇを用い、両者を均一に混合して全体を不織布で包み、砂時計型の幅２００ｍｍ、長さ３４０ｍｍ、くびれ部９０ｍｍの吸収体を作製した。坪量２０ｇ／ｍ２のサーマルボンド法による親水性のポリエチレン・ポリプロピレン製不織布をトップシート（幅３２０ｍｍ、長さ４００ｍｍ）、坪量１８ｇ／ｍ２のサーマルボンド法による親水性のポリエチレン・ポリプロピレン製不織布をカバーシート（幅３２０ｍｍ、長さ４００ｍｍ）、厚さ２０μｍのポリエチレンフィルムをバックシート（幅１６０ｍｍ、長さ４００ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の両方をホットメルト接着剤にて固定して、幅１５０ｍｍ、長さ４００ｍｍ、開口幅４０ｍｍ、開口長さ２５０ｍｍの本発明の介護用便取りパッドを作製した。
【００４７】
（実施例９）
フラッフパルプ３０ｇ、ＳＡＰ４ｇを用い、両者を均一に混合して全体を不織布で包み、矩形の幅２００ｍｍ、長さ３４０ｍｍの吸収体を作製した。坪量２０ｇ／ｍ２のスパンボンド法による親水性のポリプロピレン製不織布をトップシート（幅２６０ｍｍ、長さ４００ｍｍ）、坪量１８ｇ／ｍ２のサーマルボンド法による親水性のポリエチレン・ポリプロピレン製不織布をカバーシート（幅２６０ｍｍ、長さ４００ｍｍ）、厚さ３０μｍの透湿性ポリエチレンフィルムをバックシート（幅１２０ｍｍ、長さ４００ｍｍ）として、トップシート／吸収体／バックシート／カバーシートを順次積層して、本発明の積層体を作製した。この積層体のサイドフラップ部を切込み、開口部を設けた。但し、上記トップシートとカバーシートの層間で、開口部付近の両サイドに長さ２００ｍｍ、伸長率２００％のギャザーを設けた。次に、延長フラップの左右両端が重なるように吸収体の左右端部も含めて長手方向に亘る折り線に沿って観音折りにして、延長フラップの重なった部分の両方をホットメルト接着剤にて固定して、幅１００ｍｍ、長さ４００ｍｍ、開口幅４０ｍｍ、開口長さ２００ｍｍの本発明の介護用便取りパッドを作製した。
【００４８】
（実施例１０）
フラッフパルプ１５ｇ、ＳＡＰ１ｇを用い、両者を均一に混合して全体を不織布で包み、矩形の幅２００ｍｍ、長さ１００ｍｍの吸収体を作製した。坪量４０ｇ／ｍ２のエアレイド法によるパルプ製不織布をトップシート（幅２４０ｍｍ、長さ１５０ｍｍ）、坪量１８ｇ／ｍ２のティッシュをカバーシート（幅２４０ｍｍ、長さ１５０ｍｍ）、厚さ１８μｍのポリエチレンフィルムをバックシート（幅１２０ｍｍ、長さ１５０ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の両方をホットメルト接着剤にて固定して、幅１００ｍｍ、長さ１５０ｍｍ、開口幅５０ｍｍ、開口長さ１００ｍｍの本発明の介護用便取りパッドを作製した。
【００４９】
（実施例１１）
ポリエチレンテレフタレート繊維２０ｇを不織布で包み、矩形の幅２００ｍｍ、長さ４００ｍｍの吸収体を作製した。坪量３０ｇ／ｍ２のサーマルボンド法による親水性のポリエチレン・ポリプロピレン製不織布をトップシート（幅３３０ｍｍ、長さ５００ｍｍ）、坪量２２ｇ／ｍ２のサーマルボンド法による親水性のポリプロピレン製不織布をカバーシート（幅３３０ｍｍ、長さ５００ｍｍ）、厚さ３０μｍのポリエチレンフィルムをバックシート（幅１５０ｍｍ、長さ５００ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の両方をメカニカルファスナにて固定して、幅１３０ｍｍ、長さ５００ｍｍ、開口幅５０ｍｍ、開口長さ３５０ｍｍの本発明の介護用便取りパッドを作製した。
【００５０】
（実施例１２）
フラッフパルプ２５ｇ、ＳＡＰ３ｇを用い、両者を均一に混合して全体を不織布で包み、矩形の幅２００ｍｍ、長さ３４０ｍｍの吸収体を作製した。坪量４０ｇ／ｍ２のエアレイド法によるパルプ製不織布をトップシート（幅２８０ｍｍ、長さ４００ｍｍ）、坪量１８ｇ／ｍ２のサーマルボンド法による親水性のポリプロピレン製不織布（幅２４０ｍｍ、長さ４００ｍｍ）をカバーシート、厚さ２０μｍのポリエチレンフィルムをバックシート（幅１４０ｍｍ、長さ４００ｍｍ）として、トップシート／吸収体／バックシート／カバーシートを順次積層して、本発明の積層体を作製した。上記積層体のサイドフラップ部を切込み、開口部を設け、延長フラップの左右両端が重なるように吸収体の左右端部も含めて長手方向に亘る折り線に沿って観音折りにして、延長フラップの重なった部分の両方をホットメルト接着剤にて固定して、幅１２０ｍｍ、長さ４００ｍｍ、開口幅５０ｍｍ、開口長さ３００ｍｍの本発明の介護用便取りパッドを作製した。
【００５１】
（実施例１３）
ポリエチレンテレフタレート製繊維２０ｇを不織布で包み、矩形の幅２００ｍｍ、長さ３４０ｍｍの吸収体を作製した。坪量３０ｇ／ｍ２のサーマルボンド法による親水性のポリエチレン・ポリプロピレン製不織布をトップシート（幅３３０ｍｍ、長さ４２０ｍｍ）（背面にはおむつとのずれ防止のため、メカニカルファスナを装着する）、坪量２５ｇ／ｍ２のサーマルボンド法による親水性のポリプロピレン製不織布をカバーシート（幅３３０ｍｍ、長さ４２０ｍｍ）、厚さ３０μｍの通気性ポリエチレンフィルムをバックシート（幅１５０ｍｍ、長さ４２０ｍｍ）として、トップシート／吸収体／バックシート／カバーシートを順次積層して、本発明の積層体を作製した。この積層体のサイドフラップ部を切込み、開口部を設けた。但し、上記トップシートとカバーシートの層間で、開口部にふれない位置に片側各２本のウレタン系ゴム製ギャザーを設けた。次に、延長フラップの左右両端が重なるように吸収体の左右端部も含めて長手方向に亘る折り線に沿って観音折りにして、延長フラップの重なつた部分の両方をメカニカルファスナにて固定して、幅１４０ｍｍ、長さ４２０ｍｍ、開口幅３５ｍｍ、開口長さ３００ｍｍの本発明の介護用便取りパッドを作製した。
【００５２】
（実施例１４）
フラッフパルプ２０ｇ、ＳＡＰ３ｇを用い、両者を均一に混合して全体を不織布で包み、砂時計型の幅２００ｍｍ、長さ３４０ｍｍ、くびれ部９０ｍｍの吸収体を作製した。坪量４０ｇ／ｍ２のエアレイド法によるパルプ製不織布をトップシート（幅２８０ｍｍ、長さ４００ｍｍ）、坪量１８ｇ／ｍ２のサーマルボンド法による親水性のポリプロピレン製不織布をカバーシート（幅２８０ｍｍ、長さ４００ｍｍ）、厚さ２０μｍのポリエチレンフィルムをバックシート（幅１２０ｍｍ、長さ４００ｍｍ）として、トップシート／吸収体／バックシート／カバーシートを順次積層して、本発明の積層体を作製した。上記積層体のサイドフラップ部を切込み、開口部を設けた。但し、トップシートとカバーシートの間に吸収体と製品開口部にかからない部分にギャザーを装着した。次に、延長フラップの左右両端が重なるように吸収体の左右端部の一部も含めて長手方向に亘る折り線に沿って観音折りにして、延長フラップの重なった部分の両方をホットメルト接着剤にて固定して、幅１００ｍｍ、長さ４００ｍｍの本発明の介護用便取りパッドを作製した。
【００５３】
（実施例１５）
フラッフパルプ３０ｇ、ＳＡＰ４ｇを用い、両者を均一に混合して全体を不織布で包み、矩形の幅２００ｍｍ、長さ３４０ｍｍの吸収体を作製した。坪量２０ｇ／ｍ２のサーマルボンド法による親水性のポリプロピレン製不織布をトップシート（幅２６０ｍｍ、長さ４００ｍｍ）、厚さ３０μｍの透湿性ポリエチレンフィルムをバックシート（幅１２０ｍｍ、長さ４００ｍｍ）として、トップシート／吸収体／バックシートを順次積層して、本発明の積層体を作製した。上記積層体のサイドフラップ部を切込み、開口部を設け、延長フラップの左右端が重なるように吸収体の左右端部も含めて長手方向に亘る折り線に沿って観音折りにして、延長フラップの重なった部分の一箇所をホットメルト接着剤にて固定し、幅１００ｍｍ、長さ４００ｍｍ、開口幅４０ｍｍの本発明の介護用便尿取りパッドを作製した。
【００５４】
（実施例１６）
フラッフパルプ３０ｇ、ＳＡＰ４ｇを用い、両者を均一に混合して全体を不織布で包み、矩形の幅２００ｍｍ、長さ３４０ｍｍの吸収体を作製した。坪量２０ｇ／ｍ２のスパンボンド法による親水性のポリプロピレン製不織布をトップシート（幅２６０ｍｍ、長さ４００ｍｍ）、厚さ３０μｍの透湿性ポリエチレンフィルムをバックシート（幅１２０ｍｍ、長さ４００ｍｍ）として、トップシート／吸収体／バックシートを順次積層して、本発明の積層体を作製した。この積層体のサイドフラップ部を切込み、開口部を設け、延長フラップの左右両端が重なるように吸収体の左右端部も含めて長手方向に亘る折り線に沿って観音折りにして、延長フラップの重なった部分の両方をホットメルト接着剤にて固定して、幅１００ｍｍ、長さ４００ｍｍ、開口幅４０ｍｍ、開口長さ２００ｍｍの本発明の介護用便取りパッドを作製した。
【産業上の利用可能性】
【００５５】
本発明の介護用パッドは、延長フラップ部の左右端が重なるように観音折りにして、重なり部分の少なくとも一方を接着・固定して構成されている。このような構成を有する本発明の介護用パッドは、これを着用した場合、便を開口部分に限定的に収容でき、着用者の肌が汚れるのを効果的に抑制することができ、清潔に保つことができるものであり、介護用パッドとして有用である。
【図面の簡単な説明】
【００５６】
【図１】本発明の観音折りする前の介護用便尿取りパッドをトップシート側から見た状態を示す平面図である。
【図２】図１に示す本発明の介護用便尿取りパッドを観音折りにして、延長フラップの重なり部分を固定した状態を示すトップシート側から見た場合の平面図である。
【図３】図２に示す本発明の介護用便尿取りパッドをＸ−Ｘ線に沿って切断した状態を示す断面図である。
【図４】図２に示す本発明の介護用便尿取りパッドをＹ−Ｙ線に沿って切断した状態を示す断面図である。
【図５】本発明の観音折りする前の介護用便取りパッドをトップシート側から見た状態を示す平面図である。
【図６】図５に示す本発明の介護用便取りパッドを観音折りにして、延長フラップの二つの重なり部分を固定した状態を示すトップシート側から見た場合の平面図である。
【図７】本発明の観音折りする前の介護用便取りパッド（吸収体が砂時計型の場合）をトップシート側から見た状態を示す平面図である。
【符号の説明】
【００５７】
１：介護用便尿取りパッド
２：バックシート
３：トップシート
４：吸収体
５：折り線
６：重なり合う部分
７：接着部
８：介護用便取りパッド
９：開口部
１０：幅方向
１１：長手方向
１２：便用
１３：尿用
１４：サイドフラップ
１５：エンドフラップ
１６：延長フラップ
【図１】
2006255385.tif 000003
【図２】
2006255385.tif 000004
【図３】
2006255385.tif 000005
【図４】
2006255385.tif 000006
【図５】
2006255385.tif 000007
【図６】
2006255385.tif 000008
【図７】
2006255385.tif 000009